(57)【特許請求の範囲】
【請求項１】
入力手段、表示手段、データ送受信手段を有するシンクライアント端末と、
前記シンクライアント端末へ第１の記憶手段内の試験問題を送信し、前記シンクライアント端末から前記試験問題の解答を受けるサーバと、
を具備し、
前記サーバは、
受験番号、試験会場及び座席情報を含む受験者情報を記憶するデータベースと、
前記受験番号で認証した解答者がシンクライアント端末から解答入力した解答を第２の記憶手段に書き込む書込手段と、
一のシンクライアント端末からの解答と、前記一のシンクライアント端末の周囲のシンクライアント端末からの同じ問題に対する解答との入力タイミングに基づいて不正の疑いがあるか否かを検出し、前記受験者情報に基づいて前記周囲の座席のシンクライアント端末から解答入力した解答者の属する試験会場の監督官の携帯端末装置へ前記解答者の座席情報及び不正の疑いの旨を通知する不正検出手段と、
前記第２の記憶手段内の解答を第３の記憶手段内の正解に基づいて採点する採点手段と、
前記採点手段による採点結果の合否を判定する合否判定手段と、
を具備することを特徴とする試験システム。
【請求項２】
前記サーバは、前記合否判定手段の判定結果を前記シンクライアント端末へ送信し、表示させる表示管理部を具備することを特徴とする請求項１に記載の試験システム。
【請求項３】
前記サーバは、前記合否判定手段の判定結果を印刷する印刷手段を具備することを特徴とする請求項１に記載の試験システム。
【請求項４】
前記サーバは、前記第１の記憶手段内の試験問題をシンクライアント端末へ送信するに際し、隣り合うシンクライアント端末へ送信する試験問題を変更し、あるいは、選択問題の選択肢の順序を変更し、もしくは、試験問題の順序を変更する出題管理部を具備し、
前記不正検出手段は、前記出題管理部が試験問題、選択問題の選択肢の順序又は試験問題の順序を変更する場合には、不正の疑いがあるか否か検出しない、
ことを特徴とする請求項１〜請求項３のいずれかの項に記載の試験システム。
【請求項５】
前記サーバおよび前記シンクライアント端末がネットワークを介して接続されていることを特徴とする請求項１〜請求項４のいずれかの項に記載の試験システム。
【請求項６】
入力手段、表示手段、データ送受信手段を有するシンクライアント端末と、前記シンクライアント端末と通信回線を介して接続されたサーバとからなる試験システムにおける試験方法において、
前記サーバは受験番号、試験会場及び座席情報を含む受験者情報を記憶するデータベースを備え、
前記サーバが前記シンクライアント端末へ第１の記憶手段内の試験問題を送信し、
前記シンクライアント端末が、前記受験番号で認証した受験者が解答入力した前記試験問題の解答を前記サーバへ送信し、
前記サーバが、一のシンクライアント端末からの解答と、前記一のシンクライアント端末の周囲のシンクライアント端末からの同じ問題に対する解答との入力タイミングに基づいて不正の疑いがあるか否かを検出し、前記受験者情報に基づいて前記周囲の座席のシンクライアント端末から解答入力した解答者の属する試験会場の監督官の携帯端末装置へ前記解答者の座席情報及び不正の疑いの旨を通知し、
前記サーバが、前記シンクライアント端末からの解答を第２の記憶手段に書き込み、次いで前記第２の記憶手段内の解答を第３の記憶手段内の正解に基づいて採点し、採点結果の合否を判定する
ことを特徴とする試験方法。
【発明の詳細な説明】
【技術分野】
【０００１】
本発明は、データ端末を用いた試験システムに係り、特に、データ端末としてシンクライアントを用いた試験システムおよび試験方法に関する。
【背景技術】
【０００２】
従来、サーバからインターネットを介して受験者のパソコン（パーソナルコンピュータ）へ試験問題を送信し、受験者がパソコンに入力した解答がインターネットを介してサーバに送られ、サーバにおいて採点および集計が行われる試験システムが開発されている（特許文献１参照）。しかしながら、従来のこの種の試験システムは、パソコンの中に試験問題が残ってしまい、パソコンが試験会場に設置されている場合には、試験問題が受験者によってフロッピデスク等に書き込まれ、持ち出されてしまう問題があった。また、試験会場にパソコンを設置するシステムは、パソコンが高価であると共に故障の可能性が高くメンテナンスの負荷も大きい問題があった。
【０００３】
他方、特許文献２には、カンニング等の不正を防止するため、解答選択肢の配列や小問の配列を変える試験システムが開示されている。しかしながら、このシステムは小問等を単にシャッフルして端末へ送信するだけであり、同じ問題が近くの席の人に出題される場合も生じる。
【特許文献１】特開2002-62795号公報
【特許文献２】特開2004-144903号公報
【発明の開示】
【発明が解決しようとする課題】
【０００４】
本発明は上記事情を考慮してなされたもので、その目的は、試験問題が受験者によって持ち出される恐れがなく、しかも故障の発生が少ない試験システムおよび試験方法を提供することにある。また、この発明の他の目的は、カンニング等の不正を行いにくい試験システムを提供することにある。
【課題を解決するための手段】
【０００５】
この発明は上述した課題を解決するためになされたもので、この発明は、入力手段、表示手段、データ送受信手段を有するシンクライアント端末と、前記シンクライアント端末へ第１の記憶手段内の試験問題を送信し、前記シンクライアント端末から前記試験問題の解答を受けるサーバとを具備することを特徴とする試験システムである。
この発明は、上記の試験システムにおいて、前記サーバが、前記シンクライアントからの解答を第２の記憶手段に書き込む書込手段と、前記第２の記憶手段内の解答を第３の記憶手段内の正解に基づいて採点する採点手段と、前記採点手段による採点結果の合否を判定する合否判定手段とをさらに具備することを特徴とする。
この発明は、上記の試験システムにおいて、前記サーバが、前記合否判定手段の判定結果を前記シンクライアントへ送信し、表示させる表示管理部を具備することを特徴とする。
【０００６】
この発明は、上記の試験システムにおいて、前記サーバが、前記合否判定手段の判定結果を印刷する印刷手段を具備することを特徴とする。
この発明は、上記の試験システムにおいて、前記サーバが、一のシンクライアントから送信された解答を、前記第２の記憶手段内の解答であって、試験会場における前記一のシンクライアントの周囲のシンクライアントからの解答と比較することによって不正の疑いがあるか否かを検出する不正検出手段を具備することを特徴とする。
【０００７】
この発明は、上記の試験システムにおいて、前記サーバが、前記第１の記憶手段内の試験問題をシンクライアントへ送信するに際し、隣り合うシンクライアントへ送信する試験問題を変更し、あるいは選択問題の選択肢の順序を変更し、あるいは、試験問題の順序を変更する出題管理部を具備することを特徴とする。
この発明は、上記の試験システムにおいて、前記サーバおよび前記シンクライアントがネットワークを介して接続されていることを特徴とする。
この発明は、入力手段、表示手段、データ送受信手段を有するシンクライアント端末と、前記シンクライアント端末と通信回線を介して接続されたサーバとからなる試験システムにおける試験方法において、前記サーバが前記シンクライアント端末へ第１の記憶手段内の試験問題を送信し、前記シンクライアント端末が、受験者が入力した前記試験問題の解答を前記サーバへ送信し、前記サーバが、前記シンクライアントからの解答を第２の記憶手段に書き込み、次いで前記第２の記憶手段内の解答を第３の記憶手段内の正解に基づいて採点し、採点結果の合否を判定することを特徴とする試験方法である。
【発明の効果】
【０００８】
この発明によれば、シンクライアントを用いてシステムを構成しているので、試験問題が受験者によって持ち出される恐れがなく、しかも故障の発生が少ない試験システムを提供することができる。また、この発明によれば、カンニング等の不正を行いにくい試験システムを提供することができる。
【発明を実施するための最良の形態】
【０００９】
以下、図面を参照し、この発明の実施の形態について説明する。図１はこの発明の一実施の形態による試験システムの構成を示すブロック図である。この図において、１は試験問題の配信、解答の採点、合否の判定等を行うサーバであり、インターネット等のネットワーク２に接続されている。３、３・・・は試験会場であり、各試験会場３には多数のシンクライアント４、４・・・が設置され、これらのシンクライアント４とサーバ１とはネットワーク２を介して接続されている。シンクライアント４は、受験者が解答を入力するためのもので、表示、入力、通信等最小限に機能を絞った低価格のクライアント用コンピュータであり、ハードデスク装置、フロッピデスクドライブは設けられていない。なお、サーバ１とシンクライアント４との間のデータ通信を暗号化してもよい。
【００１０】
図２はサーバ１の構成を示すブロック図である。この図において、受付管理部１１はシンクライアント４からの入力データを管理する。表示管理部１２はシンクライアント４への試験問題、採点結果等の表示を管理する。解答管理部１３はシンクライアント４からの受験者の解答をデータベース１４へ書き込む。データベース１４には、受験者情報、試験問題、解答、正解、不正パターン、合否判定の条件等が記憶される。図３は上記受験者情報を示す図であり、この図に示すように、受験者情報には、受験番号、氏名、パスワード、試験会場、座席情報、受験内容、印刷希望、住所、電子メールアドレス、点数、合否の各データがある。
【００１１】
不正管理部１５はデータベース１４内の不正パターンと解答状況を照合し、不正の可能性がある場合は警告を発する。この警告は、例えば、ネットワーク２を介して試験会場３の監督官の携帯電話機へメール送信される。採点管理部１６は、データベース１４内に予め記憶されている解答とシンクライアント４から送信された解答とを照合し、採点する。印刷管理部１７は受験票の印刷や採点結果の印刷を管理する。出題管理部１８は、データベース１４から読み出した試験問題の管理を行う。例えば、隣り合うシンクライアントについて問題の順序を変え、あるいは、選択問題であれば選択肢の順序を変える。また、隣り合うシンクライアントについて問題自体を変える。この出願管理部１８において変更が行われた問題が表示管理部１２を介して各シンクライアント４へ配信され、表示される。なお、このように試験問題の変更が行われるのは不正防止のためである。
【００１２】
次に、上述した試験システムの動作を図４に示すフローチャートを参照して説明する。
まず、サーバ１によって受験者情報の登録が行われる（ステップＳ１）。この登録は、サーバ１が受験希望者から電子メールを受けてデータベース１４に登録する場合と、係員がキーボード（図示略）からデータ入力し、データベース１４に登録される場合がある。この登録において、受験者氏名、印刷希望、受験内容、住所および電子メールアドレスについては受験者からの情報がそのまま登録され、また、受験番号、パスワード、試験会場、座席情報についてはサーバ１が決定しデータベース１４に登録する。
【００１３】
次に、サーバ１が受験票の出力を行う（ステップＳ２）。すなわち、サーバ１はステップＳ１においてデータベース１４に登録したデータを読み出し、読み出したデータを受験票のフォーマットに書き込み、印刷管理部１７へ出力する。印刷管理部１７はその受験票フォーマットをプリンタへ出力して印刷する。印刷された受験票は係員によって受験者へ郵送される。なお、受験票をメールによって受験者へ送信してもよい。
【００１４】
次に、試験問題等の登録が行われる（ステップＳ３）。この登録は、予め別の場所において作成された試験問題、正解、合否判定の基準が電子メール等によってサーバ１に送信され、サーバ１がその試験問題、正解、合否判定の基準をデータベース１４に書き込むことによって行われる。
【００１５】
次に、試験当日になると、まず、受験者の認証が行われる（ステップＳ４）。すなわち、試験当日、受験者は試験会場３に入り、受験票に記載された座席情報のデスクに着席し、デスクに置かれたシンクライアント４の入力部から受験票に記載された受験番号およびパスワードを入力する（ステップＳ５）。入力されたデータはシンクライアント４からネットワーク２を介してサーバ１に送られる。サーバ１はそのデータをデータベース１４内の受験者情報（図３）と照合することによって受験者の認証を行う。
【００１６】
次に、サーバ１は試験問題の配信を行う（ステップＳ６）。すなわち、サーバ１の出題管理部１８は、データベース１４内の受験者情報（図３）の「受験内容」の欄に記載されたデータに基づいて試験問題を選択し、選択した試験問題を表示管理部１２を介して各シンクライアント４の表示部へ送信する。そして、サーバ１は、以後、シンクライアント４からの解答があったか否かをチェックし（ステップＳ７）、解答がなかった場合は試験終了時刻に達したか否かを判断し（ステップＳ８）、達していなかった場合は再びステップＳ７の判断へ戻り、以後、ステップＳ７、ステップＳ８の判断を繰り返す。
【００１７】
そして、何れかのシンクライアント４から解答入力があった場合は（ステップＳ７が「ＹＥＳ」）、サーバ１の解答管理部１３がその解答をデータベース１４に記憶させる（ステップＳ９）。次に、不正管理部１５がその解答について不正の疑いがあるか否かをチェックする。すなわち、その解答者のデスクの回りを囲むデスクのシンクライアント４から同じ問題に対する同じ解答がほぼ同じタイミングで入力されていたか否かをチェックする。もし、入力されていた場合は、その解答者が不正（カンニング）をしたのではないかとの疑いが生じる。この場合、不正管理部１５は、その解答者の属する試験会場３の監督官の携帯電話へ、電子メールによって解答者の座席情報および不正の疑いの旨を通知する。
【００１８】
次に、試験終了時刻に達すると（ステップＳ８の判断が「ＹＥＳ」）、サーバ１の採点管理部１６がデータベース１４に記憶された解答と、予めデータベース１４に記憶されている正解とを照合することによって採点を行う（ステップＳ１１）。次に、採点管理部１６が採点結果と合否判定の基準とを照合することによって、合否判定を行う（ステップＳ１２）。次に、表示管理部１２が上記の採点結果および合否判定結果を採点管理部１６から受け、各シンクライアント４へ送信する。これにより、各シンクライアント４の表示部に試験結果が表示される（ステップＳ１３）。なお、試験結果を電子メールによって各受験者へ送信してもよい。次に、印刷管理部１７が、データベース１４内の受験者情報（図３）の「印刷希望」の欄に基づいて印刷を希望する受験者の試験結果をプリンタへ出力して印刷する（ステップＳ１４）。印刷された試験結果は係員によって受験者へ郵送される。
【００１９】
以上がこの発明の一実施形態の詳細である。この実施形態によれば、次のような利点が得られる。
(1)試験用の端末としてシンクライアント４を利用しているので、端末に試験問題等が残ることがなく、受験者が試験問題を持ち帰ることを防止することができる。
(2)サーバ１においてデータを一括管理することができる。
(3)サーバ１とシンクライアント４とのクローズなネットワークにおいて、セキュリティが確保された環境下での試験の実施が可能である。
(4)サーバ１においてリアルタイムに各受験者の解答状況の把握することができ、これにより、不正監視が可能となる。
(5)受験者毎に受験科目、受験問題を変えることを容易に行うことができる。
(6)サーバ１における試験問題を変更するだけで、さまざまな試験に対応することができる。
【００２０】
(7)試験終了後すぐに採点が可能である。
(8)シンクライアントは冷却ファンを必要としない設計にすることが可能であり、このように設計すると静粛性に優れた試験会場を構成することができる。
(9)シンクライアントは故障が少なく、メンテナンス負荷も小さい利点がある。
(10)試験問題用紙、解答用紙の配送、回収が不要である。
(11)隣り合うデスクの受験者へ送信する問題について、問題の順序や選択問題であれば選択肢の順序変えて送信することができる。また、問題のパターンが複数ある場合は、受験者毎に問題のパターンを変えることができる。これにより、不正防止を図ることができる。なお、この問題変更や選択肢の順序変更等を行う時は、図４の不正チェック（ステップＳ１０）を行う必要はない。
(12)問題作成から合格判定までの期間を短縮することができる。
(13)試験問題の修正が容易である。
【産業上の利用可能性】
【００２１】
この発明は、試験会場（教室、○○会館等）に端末を設け、各端末をネットワークを介してサーバに接続するｅラーニングシステム等に適用することができる。また、この発明は、国家試験、大学・高校等の入試試験、学校の期末試験等に用いて好適である。
【図面の簡単な説明】
【００２２】
【図１】この発明の一実施形態による試験システムの構成を示すブロック図である。
【図２】同試験システムにおけるサーバ１の構成を示すブロック図である。
【図３】図２におけるデータベース１４に記憶される受験者情報を示す図である。
【図４】同試験システムの動作を説明するためのフローチャートである。
【符号の説明】
【００２３】
１…サーバ
２…ネットワーク
３…試験会場
４…シンクライアント
１１…受付管理部
１２…表示管理部
１３…解答管理部
１４…データベース
１５…不正管理部
１６…採点管理部
１７…印刷管理部
１８…出題管理部
【図１】
0004736691.tif 000002
【図２】
0004736691.tif 000003
【図３】
0004736691.tif 000004
【図４】
0004736691.tif 000005